【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
超音波処理システムであって、
第１及び第２開口エンジン；
該第１及び第２開口エンジンにＡラインデータの少なくとも一部を提供するＡラインデータインタフェース；及び
該第１及び第２開口エンジンに通信可能に接続されるエンジン制御装置
を備え、
該エンジン制御装置は、それぞれ該第１及び第２開口エンジンに該Ａラインデータの部分を指定する少なくとも第１及び第２開口割り当てを与え；
該第１及び第２開口エンジンは、
それぞれ該第１及び第２開口割り当てを受信し、
該Ａラインデータの少なくとも一部を受信し、
該受信したＡラインデータに対して１以上の集束処理を実行し、そして
それぞれ該第１及び第２開口割り当てに応じて集束データを生成する、
超音波処理システム。
【請求項２】
前記エンジン制御装置は、前記第１及び第２開口エンジンの一方がいつ集束データを生成するのかを決定するために更に監視し、そして、前記第１及び第２開口エンジンの一方が集束データを生成したと決定されたときに前記第１及び第２開口エンジンの前記一方に第３開口割り当てを与える、
請求項１に記載のシステム。
【請求項３】
共通のＡラインデータバスを更に備え；
前記Ａラインデータインタフェースは、該共通のＡラインデータバスを介して前記第１及び第２開口エンジンに該Ａラインデータの少なくとも一部を提供し；及び
該第１及び第２開口エンジンは、該Ａラインデータの実質的に全てを受信する、
請求項１に記載のシステム。
【請求項４】
前記第１及び第２開口エンジンのそれぞれがアポダイゼーションユニットを備え；
前記１以上の集束処理がアポダイゼーション処理を含み；
前記エンジン制御装置がアポダイゼーション係数テーブルを含み；
該エンジン制御装置が更に該アポダイゼーション係数テーブルからの第１及び第２アポダイゼーション係数をそれぞれ前記第１及び第２開口エンジンに提供し；及び
該第１及び第２開口エンジンがそれぞれ該第１及び第２アポダイゼーション係数に基づいて前記アポダイゼーション処理を実行する、
請求項１に記載のシステム。
【請求項５】
前記第１及び第２開口エンジンのそれぞれが飛行時間型ユニットを備え；
前記１以上の集束処理が飛行時間型調整を含み；
前記エンジン制御装置が飛行時間オフセットテーブルを含み；
該エンジン制御装置が更に該飛行時間オフセットテーブルからの第１及び第２飛行時間オフセットをそれぞれ前記第１及び第２開口エンジンに提供し；及び
該第１及び第２開口エンジンがそれぞれ該第１及び第２飛行時間オフセットに基づいて飛行時間型調整を実行する、
請求項１に記載のシステム。
【請求項６】
前記第１及び第２開口エンジンのそれぞれが再サンプリングユニットを備え；
前記１以上の集束処理が再サンプリング処理を含み；
前記エンジン制御装置が再サンプリングレートのセットを含み；
該エンジン制御装置が更に該再サンプリングレートのセットからの第１及び第２再サンプリングレートをそれぞれ前記第１及び第２開口エンジンに提供し；
該第１及び第２開口エンジンがそれぞれ第１及び第２再サンプリング加重に基づいて前記再サンプリング処理を実行し、
前記第１再サンプリングレートが、表示装置のピクセル当たりのサンプルの比率に基づいて決定される、
請求項１に記載のシステム。
【請求項７】
当該システムが開口エンジンの総数を備え；
該開口エンジンの総数が開口内のトランスデューサの総数に相当する、
請求項１に記載のシステム。
【請求項８】
前記第１開口割り当てが前記第１開口割り当てによって識別される開口内の集束Ａラインのサブセットを指定する、
請求項１に記載のシステム。
【請求項９】
前記第１開口割り当てが前記第１開口割り当てによって識別される開口内の集束Ａラインの焦点範囲のサブセットを指定する、
請求項１に記載のシステム。
【請求項１０】
システムであって、
エミッタ／レシーバトランスデューサのペアを特定するトランスデューサ構成を受信し、かつ、該トランスデューサ構成に基づいてバンプマップを生成するバンプマップ生成器；
クロック周波数を有する固定周波数クロックを生成するクロック信号発生器；及び
該エミッタ／レシーバトランスデューサペアに対応するアナログデータを受信し、該固定周波数クロック及び該バンプマップによって決定されるサンプルレートを有する該アナログデータに基づいてデジタルデータを生成するアナログ・デジタル変換器
を備えるシステム。
【請求項１１】
前記バンプマップが
前記アナログデータをサンプリングしない初期期間；
該アナログデータを前記クロック周波数よりも低い周波数でサンプリングする第１アクティブ期間；及び
該アナログデータを該クロック周波数でサンプリングする第２アクティブ期間
のうちの少なくとも１つを指定し、
前記初期期間、前記第１アクティブ期間及び前記第２アクティブ期間が、超音波エコーの予想到達時間に基づいて決定される、
請求項１０に記載のシステム。
【請求項１２】
前記バンプマップ生成器が更に、エミッタ／レシーバトランスデューサペアのセットに対応するバンプマップのセットを生成し；及び
該バンプマップのセットの各バンプマップが同数のサンプルを指定する、
請求項１０に記載のシステム。
【請求項１３】
前記バンプマップが、
前記エミッタ／レシーバトランスデューサペアを含むトランスデューサ複合体の形状；
前記エミッタ／レシーバトランスデューサペアに含まれるトランスデューサの特性；及び
前記エミッタ／レシーバトランスデューサペアを含む開口の特性；
のうちの少なくとも１つに基づいて決定される、
請求項１０に記載のシステム。
【請求項１４】
前記アナログ・デジタル変換器が更に、
前記固定周波数クロックに基づいて前記アナログデータをサンプリングして中間デジタルデータを生成し、そして
該バンプマップに従って該中間デジタルデータのサンプルを破棄してデジタルデータを生成する、
請求項１０に記載のシステム。
【請求項１５】
超音波データを再サンプリングためのシステムであって、
超音波データストリームを受信する信号インタフェース；
加重係数のセットを受信する係数インタフェース；及び
該信号インタフェース及び該係数インタフェースに通信可能に接続される加重補間ネットワーク
を備え、該加重補間ネットワークが、
超音波データストリームを遅延させる複数の遅延装置であって、その遅延が複数の遅延超音波データストリームを生成するものと、
該複数の遅延超音波データストリームに該加重係数のセットを適用する複数の加重ユニットであって、該適用が複数の加重超音波データストリームを生成するものと、
該複数の加重超音波データストリームを追加して再サンプリング超音波データストリームを生成する合計ユニットと
を含む、システム。
【請求項１６】
前記加重係数のセットが、
前記受信した超音波データストリームに対して飛行時間型調整を実行し、かつ／又は
前記超音波データストリームに１以上の位相オフセットを適用する
ように決定される、請求項１５に記載のシステム。
【請求項１７】
前記加重補間ネットワークが第１加重補間ネットワークであり；
前記加重係数のセットが加重係数の第１セットであり；及び
前記再サンプリング超音波データストリームが第１再サンプリング超音波データストリームであり；
当該システムは、
該信号インタフェース及び係数インタフェースに通信可能に接続され、かつ、加重係数の第２セットに従って該受信した超音波データストリームから第２再サンプリング超音波データストリームを生成する第２加重補間ネットワーク；及び
該第１及び第２加重補間ネットワークに接続され、かつ、該第１再サンプリング超音波データストリームと該第２再サンプリング超音波データストリームとの間で選択する切替ユニット
を更に含む、請求項１５に記載のシステム。
【請求項１８】
当該システムは、前記加重補間ネットワークに通信可能に接続されるデシメーションユニットを更に備え、該デシメーションユニットは、デシメーション係数を受信し、そして該デシメーション係数に従って前記再サンプリング超音波データストリームからデータサンプルを削除してデシメート超音波データストリームを生成する、
請求項１５に記載のシステム。